(57)【要約】【課題】  電磁弁に装備されるコイルモールドに残るゲート跡の有効利用を図る。【解決手段】  電磁弁１は、弁室４０を有する弁本体１０の内部に吸引子５０を有し、コイルユニット１００に通電されると、プランジャ６０をスプリング６２に抗して吸引し、弁棒７０の弁部７２が弁シート２２を閉じる。コイルユニットは、コイル１２０を樹脂で封止したコイルモールド１３０を有し、コイルモールド１３０はハウジング１５０内に収容される。モールド時に発生するゲート跡１３２は、ハウジング１５０の開口部１５２に嵌合し、コイルモールドの廻り止めとして利用される。【選択図】        図１
2006147853.tif 000002
【特許請求の範囲】
【請求項１】
端部が開口する大径部と有底の小径部を有する弁本体と、弁本体の大径部の開口部を封止する弁座部材と、弁座部材の弁シートを開閉する弁部を有する弁棒と、弁本体の小径部の内側に固定される吸引子と、吸引子を貫通する弁棒に一体に取付けられるプランジャと、吸引子とプランジャの間に配設されてプランジャを吸引子から引き離す方向に付勢するスプリングと、弁本体の外側に嵌装されるコイルユニットを備える電磁弁であって、
コイルユニットは、ボビンに巻いた電磁コイルを金型内で樹脂と一体にモールドしたコイルモールドと、コイルモールドを収容する金属製のハウジングとを備え、
ハウジングは、コイルモールドの外側に残留するモールド時のゲート跡を収容する開口部又は凹部を有することを特徴とする電磁弁。
【請求項２】
コイルモールドは、ゲート跡をハウジングの開口部又は凹部に係合することによりハウジングに対して位置決めされる請求項１記載の電磁弁。
【発明の詳細な説明】
【技術分野】
【０００１】
本発明は、空気調和機に使用する電磁弁に関する。
【背景技術】
【０００２】
例えば、下記の特許文献１は、パイプ状の弁本体内に吸引子を固定し、弁本体の外側に取付けるコイルユニットの磁力によりプランジャを吸引して、プランジャと一体の弁体を弁座に当接して閉弁を行う通電時閉型の電磁弁を開示している。
【特許文献１】特開２００３−１５６２６９号公報
【発明の開示】
【発明が解決しようとする課題】
【０００３】
空気調和機の電磁弁は、湿度の高い環境下で使用されるので、電磁コイルを樹脂で一体にモールドして防湿処理を行っている。
このモールド処理は、金型内にコイルを収容し、金型内に樹脂を注入してモールドを成型する。
この際に、金型に樹脂を注入するゲート（注入口）に残る樹脂が、成型されたコイルモールドの外表面にゲート跡として残ってしまう。
【０００４】
このゲート跡は、このコイルモールドには不要のものであるが、そのままにしておくと、その突部の分だけコイルモールドを収容するハウジングとの間の間隙をとる必要があり、電磁弁の小型化の阻害要因となる。
そのため通常は、このゲート跡を除去することを行なうが、新たな工数を必要とする。
本発明の目的は、上述した問題を解決する電磁弁を提供するものである。
【課題を解決するための手段】
【０００５】
本発明の電磁弁は、基本的構成として、端部が開口する大径部と有底の小径部を有する弁本体と、弁本体の大径部の開口部を封止する弁座部材と、弁座部材の弁シートを開閉する弁部を有する弁棒と、弁本体の小径部の内側に固定される吸引子と、吸引子を貫通する弁棒に一体に取付けられるプランジャと、吸引子とプランジャの間に配設されてプランジャを吸引子から引き離す方向に付勢するスプリングと、弁本体の外側に嵌装されるコイルユニットを備える。
【０００６】
そして、コイルユニットは、ボビンに巻いた電磁コイルを金型内で樹脂と一体にモールドしたコイルモールドと、コイルモールドを収容する金属製のハウジングとを備え、ハウジングは、コイルモールドの外側に残留するモールド時のゲート跡を収容する開口部又は凹部を有するものである。
【０００７】
また、コイルモールドは、ゲート跡をハウジングの開口部又は凹部に係合することによりハウジングに対して位置決めされる。
【発明の効果】
【０００８】
コイルモールドは、電磁コイルを湿気から保護するために不可欠なものである。このモールド時に発生するゲート跡を積極的に利用して、製造コストの低減と小型化を達成することができる。
【発明を実施するための最良の形態】
【０００９】
図１は、本発明の電磁弁の正面断面図、図２は、図１の左側面図である。
全体を符号１で示す電磁弁は、非磁性材の金属パイプをプレス加工して作成される弁本体１０を有する。
弁本体１０の開口部端側は大径部に形成されており、開口端に弁座部材２０が固着される。弁座部材２０は弁シート２２を有し、第１の配管３０が取付けられる。弁本体１０の大径部内には弁室４０が形成され、第２の配管３２が取付けられる。
【００１０】
弁本体１０は、弁室４０よりも上部の部分が小径の円筒部１２に形成される。この円筒部１２の外周部には、コイルユニット１００が嵌装される。コイルユニット１００は、ボビン１１０を巻き付けられた電磁コイル１２０を有する。電磁コイルは配線１２２を介して給電を受ける。
【００１１】
電気機器である電磁コイル１２０、ボビン１１０、配線１２２等は、金型内で樹脂と一体に成型され、コイルモールド１３０に形成される。このコイルモールド１３０は、電気部品を樹脂内に封止して、結露等から保護する。
このコイルのモールド加工用金型は、樹脂を射出するためのゲートを有する。このゲート部の樹脂は成型されたコイルモールド１３０の外側にいわゆるゲート跡１３２として突出残留する。
【００１２】
このゲート跡１３２は、コイルモールド１３０の機能には影響を与えないので、切除してコイルモールドの外形寸法等の増大を防止することが望ましい。しかしながら、このゲート跡１３２の切除には、工数を要し、コストアップの原因となる。
そこで、本発明の電磁弁にあっては、モールド用の金型に設けるゲート位置を規制して、コイルモールド１３０の所定位置にゲート跡１３２が形成されるように設計する。
【００１３】
コイルモールド１３０は、金属製のハウジング１５０内に組込まれる。ハウジング１５０の上部には、弾性材でつくられたストッパ部材１６０が取付けられる。
このストッパ部材１６０は、コイルユニット１００を弁本体１０の小径部１２の外周部に嵌装したときに、ストッパ部材１６０の先端が、弁本体１０の凹部１４に係合してコイルユニットを固定する機能を有する。
【００１４】
ハウジング１５０には、図１の長円で囲った部分を拡大して示すように、矩形の開口部１５２が設けてある。コイルモールド１３０のゲート跡１３２は、このハウジング１５０の開口部１５２に受け入れられる。
この構造により、コイルモールド１３０はハウジング１５０に対して廻り止めされる。また、ゲート跡１３２によるコイルユニット１００の寸法の増大も回避することもできる。
【００１５】
弁本体１０の内部には吸引子５０がカシメ部Ｋ１により固定される。吸引子５０を貫通する弁棒７０は、プランジャ６０と一体に結合される。プランジャ６０と吸引子５０の間には、コイルスプリング６２が設けられ、プランジャ６０を常時吸引子５０に離反する方向（上方）に付勢する。
【００１６】
コイルユニット１００に給電されると、コイル１２０の発生する磁力により吸引子５０は、プランジャ６０を吸引する。この作用により、弁棒７０の弁部７２は、弁シート２２の弁座２０に当接され、閉弁する。
コイルユニット１００の給電が断たれると、コイルスプリング６２の作用により、プランジャ６０つまり弁棒７０は引き上げられ、開弁する。
【００１７】
図４、図５は、本発明の他の実施例を示す説明図である。
全体を符号１Ａで示す電磁弁は、ハウジング２５０の構造が先の実施例の電磁弁１とは異なるが、それ以外の構成は同じである。そこで、同じ部材に対しては、同一の符号を付して、詳細な説明を省略する。
【００１８】
本実施例の電磁弁１Ａのハウジング２５０は、コイルモールド１３０のゲート跡１３２を収容するスペースとして、図４の長円で囲った部分を示す図５のように凹部２５２を有する。
ハウジング２５０は、金属板をプレス加工して作られる。そこで、このプレス加工時に凹部２５２を同時に加工することができ、工数の増加は防止することができる。
ゲート跡１３２を除去することなく、このゲート跡１３２をコイルモールド１３０の位置決め、廻り止めとして活用している。
【図面の簡単な説明】
【００１９】
【図１】本発明の電磁弁の実施例を示す断面図。
【図２】図１の左側面図。
【図３】本発明の電磁弁の要部の説明図。
【図４】コイルモールドの斜視図。
【図５】本発明の電磁弁の他の実施例を示す断面図。
【図６】要部を示す説明図。
【符号の説明】
【００２０】
１  電磁弁
１０  弁本体
２０  弁座部材
２２  弁シート
４０  弁室
５０  吸引子
６０  プランジャ
６２  スプリング
７０  弁棒
７２  弁部
１００  コイルユニット
１１０  ボビン
１２０  コイル
１３０  コイルモールド
１３２  ゲート跡
１５０  ハウジング
１５２  開口部
【図１】
2006147853.tif 000003
【図２】
2006147853.tif 000004
【図３】
2006147853.tif 000005
【図４】
2006147853.tif 000006
【図５】
2006147853.tif 000007
【図６】
2006147853.tif 000008